【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
生体組織にエネルギを作用させて治療するための治療用処置システムであって、
少なくとも一方が他方に対して相対的に移動して生体組織を把持して前記生体組織を保持する１対の保持部材と、
前記保持部材の少なくとも一方に設けられ、前記保持部材間に把持した生体組織の生体情報を収集するとともに、前記生体組織に高周波エネルギを供給して細胞膜を破壊することによって前記生体組織の熱伝導率を細胞膜の破壊前のときよりも上げる高周波エネルギ出力部と、
前記保持部材の少なくとも一方に設けられ、前記保持部材間に把持した前記生体組織の水分除去のために熱エネルギを発生させる発熱部と、
前記高周波エネルギ出力部で収集した前記生体情報に基づいて、高周波エネルギ出力部および前記発熱部へのエネルギの出力を制御する制御部と、
を具備することを特徴とする治療用処置システム。
【請求項２】
前記高周波エネルギ出力部は、前記保持部材間に把持した生体組織のインピーダンス情報および／またはエネルギ出力による位相情報を収集可能なセンサを備え、
前記制御部は、前記センサで収集した前記インピーダンス情報および／または位相情報に基づいて、前記高周波エネルギ出力部から放出される高周波エネルギによる処置、および、前記発熱部から伝導する熱エネルギによる処置を切り換え可能であることを特徴とする請求項１に記載の治療用処置システム。
【請求項３】
前記制御部には、前記生体組織から得られる生体情報の第１の閾値を設定する設定手段が配設され、
前記制御部は、前記高周波エネルギ出力部にエネルギを与えて前記高周波エネルギ出力部に備えた前記センサで前記生体組織から生体情報を得るとともに、前記高周波エネルギ出力部から出力される高周波エネルギで前記生体組織を処置している間に、前記生体組織から得た生体情報が前記設定手段で設定された前記第１の閾値に達した後、前記発熱部に前記生体組織を処置するエネルギを与えるようにしたことを特徴とする請求項２に記載の治療用処置システム。
【請求項４】
前記制御部の設定手段には、前記第１の閾値よりも大きい、前記生体組織から得られる生体情報の第２の閾値が設定され、
前記制御部は、前記生体組織から得た生体情報が前記設定手段で設定された前記第１の閾値に達した後、前記高周波エネルギ出力部へのエネルギの供給を抑えて前記高周波エネルギ出力部に備えたセンサで前記生体組織から生体情報を得るとともに、前記発熱部に前記生体組織を処置するエネルギを与えるようにし、生体情報が前記第２の閾値に達した後、前記高周波エネルギ出力部および前記発熱部に与えるエネルギの供給を停止するようにしたことを特徴とする請求項３に記載の治療用処置システム。
【請求項５】
前記制御部は、時間経過に伴って前記インピーダンス情報が最下点付近に達したとき、前記高周波エネルギ出力部から放出される前記高周波エネルギによる処置から前記発熱部から伝導する熱エネルギによる処置に切り換え可能であることを特徴とする請求項２に記載の治療用処置システム。
【請求項６】
前記発熱部は、生体組織から伝導される温度情報を収集可能なセンサを備え、
前記制御部は、前記センサで収集した前記生体組織から伝導される生体組織の温度情報に基づいて、前記高周波エネルギ出力部および前記発熱部による処置を切り換え可能であることを特徴とする請求項１に記載の治療用処置システム。
【請求項７】
前記制御部は、前記生体組織から得られる温度情報の第１の閾値を設定する設定手段を備え、
前記制御部は、前記高周波エネルギ出力部から出力されるエネルギで前記生体組織を処置するとともに、前記発熱部にエネルギを与えて前記発熱部で前記生体組織から温度情報を得ている間に、前記生体組織から得た温度情報が前記設定手段で設定された前記第１の閾値に達した後に、前記高周波エネルギ出力部へのエネルギの供給を抑制し前記発熱部に前記生体組織を処置するエネルギを与えるようにしたことを特徴とする請求項６に記載の治療用処置システム。
【請求項８】
前記高周波エネルギ出力部は、前記保持部材間に把持した生体組織の生体情報を収集可能なセンサを備え、
前記制御部は、前記センサで収集した生体情報に基づいて前記高周波エネルギ出力部および前記発熱部による処置を切り換え可能であり、
前記制御部は、生体組織から得られる生体情報の第２の閾値を設定する設定手段を備え、
前記制御部は、前記生体組織から得た温度情報が前記設定手段で設定された前記第１の閾値に達した後、前記高周波エネルギ出力部へのエネルギの供給を抑えて前記高周波エネルギ出力部で生体組織から生体情報を得るとともに、前記発熱部に前記生体組織を処置するエネルギを供給して前記第２の閾値に達した後、前記エネルギ出力部および前記発熱部に与えるエネルギの供給を停止するようにしたことを特徴とする請求項６もしくは請求項７に記載の治療用処置システム。
【請求項９】
前記保持部材の少なくとも一方は、前記高周波エネルギ出力部および／もしくは前記発熱部を備え、前記高周波エネルギ出力部および／もしくは前記発熱部の近傍に、前記保持部材間に把持された生体組織から発する気体および／もしくは液体を含む流体を通過させる管路を有することを特徴とする請求項１ないし請求項８のいずれか１に記載の治療用処置システム。
【請求項１０】
前記高周波エネルギ出力部は、前記少なくとも一方の保持部材に電極を有し、
前記発熱部は、前記電極が設けられた保持部材にヒータ部材を有することを特徴とする請求項１ないし請求項９のいずれか１に記載の治療用処置システム。
【請求項１１】
前記発熱部の前記ヒータ部材は、前記高周波エネルギ出力部の前記電極の裏面に配設されていることを特徴とする請求項１０に記載の治療用処置システム。
【請求項１２】
前記発熱部の前記ヒータ部材は、薄膜の発熱抵抗体またはニクロム線であることを特徴とする請求項１０もしくは請求項１１に記載の治療用処置システム。
【請求項１３】
前記制御部には、高周波エネルギ出力部からのエネルギ出力と前記発熱部からのエネルギ出力とを切り換え可能にするために前記高周波エネルギ出力部及び前記発熱部に対してエネルギを与える時間を設定する設定手段が配設されていることを特徴とする請求項１ないし請求項１２のいずれか１に記載の治療用処置システム。
【請求項１４】
高周波エネルギを供給可能な電極と発熱要素とを有する処置部を備え、生体組織を把持可能な処置具と、
前記電極に高周波電力を供給して前記処置部で把持した生体組織の熱伝導率を高めて処置するとともに、前記電極を通して前記生体組織から得られる生体情報を収集する高周波駆動回路と、
前記発熱要素に発熱用電力を供給して前記発熱要素から生体組織に熱が伝導することによって、把持された生体組織の内部及び表層の水分を除去して処置するとともに、前記発熱要素を通して生体組織の温度情報を収集する発熱要素駆動回路と、
前記高周波駆動回路および／もしくは前記発熱要素駆動回路で収集した情報に基づいて前記高周波駆動回路および前記発熱要素駆動回路を制御する制御部と
を具備することを特徴とする治療用処置システム。
【請求項１５】
前記高周波駆動回路で収集する前記生体情報は、前記処置部で把持した生体組織のインピーダンスであり、
前記制御部は、前記高周波駆動回路に前記インピーダンスの閾値を設定可能であり、前記処置部で把持した生体組織のインピーダンスが閾値に達すると、前記処置部へのエネルギの供給を前記高周波駆動回路と前記発熱要素駆動回路との間で切り換えるようにしたことを特徴とする請求項１４に記載の治療用処置システム。
【請求項１６】
前記制御部は、前記発熱要素駆動回路に前記温度情報の閾値を設定可能であり、前記処置部で把持した生体組織の温度情報が閾値に達すると、前記処置部へのエネルギの供給を前記高周波駆動回路と前記発熱要素駆動回路との間で切り換えるようにしたことを特徴とする請求項１４もしくは請求項１５に記載の治療用処置システム。
【請求項１７】
前記処置部は、互いに対して開閉可能な第１のジョーと第２のジョーとを備え、
前記第１のジョーと第２のジョーには、それぞれ、これらジョーの間に生体組織を挟んだ状態で前記生体組織に高周波エネルギを与えるバイポーラ電極を備え、
前記第１のジョーと第２のジョーとの少なくとも一方には、発熱要素が配設されていることを特徴とする請求項１４ないし請求項１６のいずれか１に記載の治療用処置システム。
【手続補正２】
【補正対象書類名】明細書
【補正対象項目名】０００９
【補正方法】変更
【補正の内容】
【０００９】
上記課題を解決するために、本発明に係る、生体組織にエネルギを作用させて治療するための治療用処置システムは、少なくとも一方が他方に対して相対的に移動して生体組織を把持して前記生体組織を保持する１対の保持部材と、前記保持部材の少なくとも一方に設けられ、前記保持部材間に把持した生体組織の生体情報を収集するとともに、前記生体組織に高周波エネルギを供給して細胞膜を破壊することによって熱伝導率を細胞膜の破壊前のときよりも上げる高周波エネルギ出力部と、前記保持部材の少なくとも一方に設けられ、前記保持部材間に把持した前記生体組織の水分除去のために熱エネルギを発生させる発熱部と、前記高周波エネルギ出力部材で収集した生体情報に基づいて、高周波エネルギ出力部および前記発熱部へのエネルギの出力を制御する制御部とを具備することを特徴とする。  
高周波エネルギによる処置と発熱部による熱エネルギによる処置とに処置方式を切り換え可能であり、かつ、処置の際の生体組織の状態を検出しつつ処置の出力を制御部で制御しながら処置することができるので、生体組織をその組織の状態に応じて切り換えて処置することができる。このため、生体組織に対する処置を確実に行うことができる。
【手続補正３】
【補正対象書類名】明細書
【補正対象項目名】００１０
【補正方法】変更
【補正の内容】
【００１０】
上記課題を解決するために、本発明に係る治療用処置システムは、高周波エネルギを供給可能な電極と発熱要素とを有する処置部を備え、生体組織を把持可能な処置具と、前記電極に高周波電力を供給して前記処置部で把持した生体組織の熱伝導率を高めて処置するとともに、前記電極を通して前記生体組織から得られる生体情報を収集する高周波駆動回路と、前記発熱要素に発熱用電力を供給して前記発熱要素から生体組織に熱が伝導することによって、把持された生体組織の内部及び表層の水分を除去して処置するとともに、前記発熱要素を通して生体組織の温度情報を収集する発熱要素駆動回路と、前記高周波駆動回路および／もしくは前記発熱要素駆動回路で収集した情報に基づいて前記高周波駆動回路および前記発熱要素駆動回路を制御する制御部とを具備することを特徴とする。
高周波エネルギによる処置と、発熱要素を発熱させる処置とに処置方式を切り換え可能であり、かつ、処置の際の生体組織の状態を検出しつつ処置の出力を制御部で制御しながら処置することができるので、生体組織をその組織の状態に応じて切り換えて処置することができる。このため、生体組織に対する処置を確実に行うことができる。